(57)【要約】【課題】接続しているテレビジョン受像機に番組の録画予約などの情報を表示させずに、録画予約などの設定を行うことができる情報記録再生装置を提供する。【解決手段】リモコン側送信手段は、録画予約が選択・決定されたことを検知し、録画予約が選択・決定されたことを示す操作コードを送信する。これに応答して、複合型記録再生装置は、操作コードを受信すると、録画予約画面データを送信する。これに応答して、リモコンは、録画予約画面データを受信すると、リモコン側表示手段は、録画予約画面データに基づいて録画予約画面をリモコン側表示部に表示させる。ここで、ユーザは、リモコンを操作して、録画予約画面を見て、予約情報を入力して決定すると、リモコン側送信手段は、予約情報を送信する。これに応答して、第１の装置側登録手段は、予約情報をフラッシュＲＯＭに登録する。【選択図】図５
2009124280.tif 000002
【特許請求の範囲】
【請求項１】
リモコンによっても操作可能な構成を有し、記録媒体に対して情報の記録／再生を行う情報記録再生装置において、
各種操作情報が入力可能な入力指示画面を表示可能な表示領域を有する装置側表示部を設けると共に、前記リモコンに同じく各種操作情報が入力可能な入力指示画面を表示可能な表示領域を有するリモコン側表示部を設け、
前記リモコンにより操作される場合、前記リモコンの操作内容に応じた操作コードを受信したとき、当該操作内容に応じた入力指示画面データを前記リモコンに送信させる装置側送信手段と、
本装置から送信されてきた前記入力指示画面データを受信して前記リモコン側表示部に入力指示画面を表示させるリモコン側表示手段と、
前記入力指示画面に入力された設定情報を本装置に送信させるリモコン側送信手段と、
前記送信されてきた前記設定情報をメモリに登録する第１の装置側登録手段と、
本装置の操作部により操作される場合、前記操作部の操作内容に応じた入力指示画面を前記装置側表示部に表示させる装置側表示手段と、
前記入力指示画面に入力された設定情報を前記メモリに登録する第２の装置側登録手段と、を備えたことを特徴する情報記録再生装置。
【請求項２】
前記入力指示画面とは、番組の録画予約の予約情報を入力する場合にあっては、録画予約画面であることを特徴とする請求項１に記載の情報記録再生装置。
【請求項３】
本装置が待機状態の場合は、完全に電源を立ち上げず、表示に必要な構成要素のみに待機電源部からの電源を供給するように構成したことを特徴とする請求項１に記載の情報記録再生装置。
【請求項４】
前記リモコンから本装置に情報を送信した場合、前記リモコンは、送信した情報が本装置に届いたことを確認する本装置からの応答信号を受信することを特徴とする請求項１に記載の情報記録再生装置。
【発明の詳細な説明】
【技術分野】
【０００１】
本発明は、リモコンによっても操作可能な構成を有し、記録媒体に対して情報の記録／再生を行う情報記録再生装置に関する。
【背景技術】
【０００２】
ＤＶＤ（デジタルバーサタイルディスク）レコーダやＢＤ（ブルーレイディスク）レコーダなどの光ディスク装置や、ハードディスク装置、あるいはＶＣＲ（ビデオカセットレコーダ）などの情報記録再生装置では、リモコンによって遠隔操作ができるようになっている。
【０００３】
ところで、このような情報記録再生装置を使用する場合は、テレビジョン受像機に接続されるのが普通である。例えば、情報記録再生装置を再生動作させ、テレビジョン受像機のディスプレイ装置に再生映像を表示させると共に、テレビジョン受像機のスピーカから再生音声を出力させている。また、情報記録再生装置において、例えば、所望するテレビ番組を録画予約させる場合、次のような操作が行われる。
【０００４】
ユーザは、リモコンのメニューキーを押下して、メニュー画面をテレビジョン受像機のディスプレイ装置に表示させる。ここで、ユーザは、メニュー画面を見て、リモコンの操作により、項目「録画予約」を選択して決定すると、録画予約画面がディスプレイ装置に表示される。そして、ユーザは、録画予約画面を見て、リモコンを操作して、予約情報として、録画の日付、録画開始時刻、録画終了時刻、チャンネル、録画モード、およびデバイスを入力して決定すると、その予約情報がフラッシュＲＯＭに登録される。以上のリモコン操作により、所望の番組が情報記録再生装置に録画予約される。
【特許文献１】特開２００６−３２４９０４号公報
【特許文献２】特開２００２−２０９１５７号公報
【特許文献３】特開平８−１３８３６４号公報
【発明の開示】
【発明が解決しようとする課題】
【０００５】
ところで、例えば、家族がテレビジョン受像機で番組の視聴を楽しんでいるときに、家族のうちの一人が、或る番組を録画予約する場合、リモコンを操作してテレビジョン受像機の入力をビデオに切り換えて、前述したように、メニュー画面や録画予約画面を表示させるので、テレビジョン受像機で番組の視聴を楽しんでいる人は、番組の受信が中断されて視聴が邪魔されると言う課題が生じる。即ち、従来の情報記録再生装置では、番組の録画予約などを行う場合に、テレビジョン受像機に録画予約などの情報を表示させなければならないので、そのテレビジョン受像機で番組の視聴を楽しんでいる人は、番組の受信が中断されて視聴が邪魔されると言う課題が生じる。
【０００６】
なお、特許文献１の従来技術は、機器本体の状態をリモコンで認識することが可能にしているが、前記のような課題を解決するものではない。また、特許文献２の従来技術は、録画予約時に予約待機しているときの消費電力を軽減すると共に、予約設定した録画を確実に実行するようにしているが、この従来技術も、前記のような課題を解決するものではない。また、特許文献３の従来技術は、電源ＯＦＦまたは録画予約待機中でも、現在時刻、目覚し機能の設定内容、待機中の録画予約の内容などのＶＴＲの状態や情報を確認することが可能にしているが、この従来技術も、前記のような課題を解決するものではない。
【０００７】
本発明は、上記のような課題を解決するためになされたもので、接続しているテレビジョン受像機に番組の録画予約などの情報を表示させずに、録画予約などの設定を行うことができる情報記録再生装置を提供することを目的とする。
【課題を解決するための手段】
【０００８】
上記目的を達成するために、請求項１の発明は、リモコンによっても操作可能な構成を有し、記録媒体に対して情報の記録／再生を行う情報記録再生装置において、各種操作情報が入力可能な入力指示画面を表示可能な表示領域を有する装置側表示部を設けると共に、前記リモコンに同じく各種操作情報が入力可能な入力指示画面を表示可能な表示領域を有するリモコン側表示部を設け、前記リモコンにより操作される場合、前記リモコンの操作内容に応じた操作コードを受信したとき、当該操作内容に応じた入力指示画面データを前記リモコンに送信させる装置側送信手段と、本装置から送信されてきた前記入力指示画面データを受信して前記リモコン側表示部に入力指示画面を表示させるリモコン側表示手段と、前記入力指示画面に入力された設定情報を本装置に送信させるリモコン側送信手段と、前記送信されてきた前記設定情報をメモリに登録する第１の装置側登録手段と、本装置の操作部により操作される場合、前記操作部の操作内容に応じた入力指示画面を前記装置側表示部に表示させる装置側表示手段と、前記入力指示画面に入力された設定情報を前記メモリに登録する第２の装置側登録手段とを備えたことを特徴する情報記録再生装置を提供する。
【０００９】
この構成において、情報記録再生装置がリモコンにより操作される場合、情報記録再生装置は、リモコンの操作内容に応じた操作コードを受信したとき、当該操作内容に応じた入力指示画面データをリモコンに送信させる。リモコンは、情報記録再生装置から送信されてきた入力指示画面データを受信してリモコン側表示部に入力指示画面を表示させ、そして、入力指示画面に入力された設定情報を情報記録再生装置に送信する。情報記録再生装置は、前記送信されてきた前記設定情報をメモリに登録する。一方、情報記録再生装置の操作部により操作される場合、情報記録再生装置は、操作部の操作内容に応じた入力指示画面を前記装置側表示部に表示させ、前記入力指示画面に入力された設定情報をメモリに登録する。
【００１０】
この構成によれば、リモコン側表示部や装置側表示部に番組の録画予約などの情報を表示させることができるので、接続しているテレビジョン受像機に番組の録画予約などの情報を表示させずに、リモコン側表示部や装置側表示部で情報の確認を行って、録画予約などの設定を行うことができる。したがって、テレビジョン受像機で番組の視聴を楽しんでいる人は、現在視聴中の番組を消す必要がなくなり、その番組の視聴が邪魔されると言うことがなくなる。また、録画予約などを行うような場合、テレビジョン受像機が電源オフされていて、番組の視聴が行われていないとき、わざわざテレビジョン受像機の電源をオンする必要がないので、ユーザにとって無駄な操作を減らすことができると共に、電力消費も抑えることができる。また、リモコンで操作を行えば、リモコン側表示部に情報を表示させることができ、本装置の操作部で操作を行えば、装置側表示部に情報を表示させることができるので、リモコンが有れば、リモコンで録画予約などの情報を入力でき、リモコンが無ければ、本装置の操作部で録画予約などの情報を入力でき、ユーザにとっては使い勝手が良くなる。
【００１１】
請求項２の発明では、請求項１の発明において、前記入力指示画面とは、番組の録画予約の予約情報を入力する場合にあっては、録画予約画面であるので、録画予約を行うときに、テレビジョン受像機に録画予約画面を表示させることなく、録画予約情報を入力することができるようになる。
【００１２】
請求項３の発明では、請求項１の発明において、本装置が待機状態の場合は、完全に電源を立ち上げず、表示に必要な構成要素のみに待機電源部からの電源を供給するように構成したので、本装置の待機中の消費電力を減らすことができる。
【００１３】
請求項４の発明では、請求項１の発明において、前記リモコンから本装置に情報を送信した場合、前記リモコンは、送信した情報が本装置に届いたことを確認する本装置からの応答信号を受信するようにしたので、前記リモコンは、送信した情報が本装置に届いたことを確認できる。
【発明の効果】
【００１４】
以上のように本発明によれば、リモコン側表示部や装置側表示部に番組の録画予約などの情報を表示させることができるので、接続しているテレビジョン受像機に番組の録画予約などの情報を表示させずに、リモコン側表示部や装置側表示部で情報の確認を行って、録画予約などの設定を行うことができる。したがって、テレビジョン受像機で番組の視聴を楽しんでいる人は、現在視聴中の番組を消す必要がなくなり、その番組の視聴が邪魔されると言うことがなくなる。また、録画予約などを行うような場合、テレビジョン受像機が電源オフされていて、番組の視聴が行われていないとき、わざわざテレビジョン受像機の電源をオンする必要がないので、ユーザにとって無駄な操作を減らすことができると共に、電力消費も抑えることができる。また、リモコンで操作を行えば、リモコン側表示部に情報を表示させることができ、本装置の操作部で操作を行えば、装置側表示部に情報を表示させることができるので、リモコンが有れば、リモコンで録画予約などの情報を入力でき、リモコンが無ければ、本装置の操作部で録画予約などの情報を入力でき、ユーザにとっては使い勝手が良くなる。
【発明を実施するための最良の形態】
【００１５】
以下、添付図面を参照しつつ、本発明の実施の形態について説明する。図１は本発明の一実施形態に係る情報記録再生装置としての複合型記録再生装置の構成を示すブロック図である。ここでは、情報記録再生装置としては、ハードディスク装置と光ディスク装置とが組み込まれた複合型記録再生装置について説明するが、複合型記録再生装置に限らず、単体のハードディスク装置や光ディスク装置あるいはＶＣＲ（ビデオカセットレコーダ）であっても良い。
【００１６】
図１において、複合型記録再生装置１は、ＤＶＤ（デジタルバーサタイルディスク）やＢＤ（ブルーレイディスク）あるいはＣＤ（コンパクトディスク）などの光ディスクに対して情報の記録／再生を行う光ディスク装置２と、ＨＤ（ハードディスク）１４に対して情報の記録／再生を行うＨＤＤ（ハードディスクドライブ）であるハードディスク装置３と、図示しないアンテナからのテレビ放送信号を受信し、所望のチャンネルのテレビ放送信号を選択して映像音声信号として出力するチューナ４と、光ディスク装置２またはハードディスク装置３またはチューナ４から出力された映像音声信号を復号するデコーダ５と、チューナ４が受信可能な放送チャンネルを記憶すると共にシステムコントローラ１０の動作に必要なプログラムやデータなどを記憶するフラッシュＲＯＭ６と、システムコントローラ１０の動作に必要なデータを一時的に記憶するＲＡＭ１６とを備えている。
【００１７】
また、この複合型記録再生装置１は、デコーダ５で復号された映像信号をテレビジョン受像機１３のディスプレイ装置１３１で表示可能な映像信号に変換する映像出力部７と、録画予約画面や再生リスト画面あるいは番組表などをテレビジョン受像機１３のディスプレイ装置１３１に表示させるためのＯＳＤ（オンスクリーンディスプレイ）処理を行うＯＳＤ部１２と、デコーダ５で復号された音声信号をテレビジョン受像機１３のスピーカ１３２で出力可能な音声信号に変換する音声出力部８とを備えている。
【００１８】
また、複合型記録再生装置１は、リモコン２０から送信された赤外光の各種の指令信号を受信し、受信した赤外光の指令信号を電気信号の指令信号に変換し、この指令信号をシステムコントローラ１０に入力するリモコン受信部９と、リモコン２０の操作コードをリモコン２０に送信するリモコン送信部１７と、リモコン２０のキーの個数のよりは少ないが基本的な操作を行うための複数のキーを有する操作部１８と、有機ＥＬ（エレクトロ・ルミネセンス）ディスプレイまたは液晶パネルで構成され少なくとも録画予約画面を表示可能な表示領域を有する装置側表示部１１と、装置内の各構成要素に電源を供給する主電源部１９と、待機中であっても動作可能になるように少なくとも装置側表示部１１とリモコン受信部９とリモコン送信部１７とフラッシュＲＯＭ６と操作部１８とＲＡＭ１６とに電源を供給する待機電源部２１と、装置全体を制御する図示しないＣＰＵなどで構成される前記システムコントローラ１０とを備えている。複合型記録再生装置１が待機状態の場合は、完全に電源を立ち上げず、表示に必要な構成要素のみに待機電源部２１からの電源を供給するように構成したので、複合型記録再生装置１の待機中の消費電力を減らすことができる。
【００１９】
リモコン２０は、リモコン全体を制御するマイクロコンピュータを含む制御部２５と、操作キー番号が予め割り当てられ複合型記録再生装置１を遠隔操作する複数の操作キーが設けられた操作パネル２６と、操作パネル２６の操作キーに対応した操作コードや操作の内容に対応した操作コードを複合型記録再生装置１に送信する送信部２１と、複合型記録再生装置１から送信されてきた操作コードを受信する受信部２２と、複数の操作コードを操作パネル２６の操作キーの操作キー番号に対応したアドレスに記憶するフラッシュＲＯＭ２４と、少なくとも録画予約画面を表示可能な表示領域を有するリモコン側表示部２３とを備えている。
【００２０】
図２は本実施形態においてリモコンのキー配置の一例を示す図である。図２において、リモコン２０の操作パネル２６には、ＴＶ電源キー２１１、入力切換キー２１２、レコーダ電源キー２１３、音量キー２１４、複数の数字キー２１５、再生リストキー２１６、メニューキー２１７、上方向キー２１８、下方向キー２１９、左方向キー２２０、右方向キー２２１、決定キー２２２、記録キー２２３、一時停止キー２２４、早戻しキー２２５、停止キー２２６、再生キー２２７、早送りキー２２８、スキップキー２２９、ＨＤＤモード切換キー２３０、ＤＶＤモード切換キー２３１、有機ＥＬ（エレクトロ・ルミネセンス）ディスプレイまたは液晶パネルで構成されたリモコン側表示部２３などが配置されている。なお、ここでのキーの配置および個数は一例であるので、これに限ることはない。
【００２１】
図３は本実施形態における複合型記録再生装置とテレビジョン受像機とが接続されている状態を示す簡略化した斜視図を示す。図３において、複合型記録再生装置１は、筐体１０１の前面の操作パネル１０２には、電源キー１０３、装置側表示部１０４、ＤＶＤやＢＤやＣＤを挿入するためのトレイ１０５などが設けられている。装置側表示部１０４は、各種操作情報が入力可能な入力指示画面を表示可能な表示領域を有する。また、リモコン２０には、リモコン側表示部２３などが設けられている。リモコン側表示部２３は、各種操作情報が入力可能な入力指示画面を表示可能な表示領域を有する。なお、これらの構成要素の個数や配置は、一例であるので、これに限ることはない。
【００２２】
図４は本実施形態において録画予約画面の一例を示す図である。図４において、録画予約画面４０は、タイマ予約を示し、録画予約の年月日が２００８年１０月２９日で、録画開始時刻がＡＭ１１：００、録画予約する番組が放送される放送局のチャンネルが１０ＣＨ、録画モードがＳＰであることをそれぞれ示す。ＳＰ（０：５５）は録画時間が５５分であること示す。１０／２２（月）ＰＭ０７：３０は、現在が１０月２２日（月）の午後７時３０分であることを示す。１０／２９は録画予約の日付、ＡＭ１１：００は録画開始時刻、ＡＭ１１：５５、１０はＣＨ、ＳＰは録画モード、ＨＤＤは番組を録画するデバイスをそれぞれ示す。
【００２３】
図５は本実施形態においてリモコンを操作して番組を録画予約する場合のリモコンの処理を説明するためのフローチャートである。図６は本実施形態においてリモコンを操作して番組を録画予約する場合の複合型記録再生装置の処理を説明するためのフローチャートである。図１〜図６を参照してリモコンを操作して所望の番組を録画予約する場合の処理について説明する。
【００２４】
ユーザによってリモコン２０のメニューキー２１７が押下されると、リモコン２０の制御部２５は、メニューキー２１７が押下されたことを検知し（ステップＳ１）、メニューキー２１７の操作コードを、送信部２１を介して送信する（ステップＳ２）。これに応答して、複合型記録再生装置１のシステムコントローラ１０は、その操作コードをリモコン受信部９により受信すると（ステップＮ１）、装置側送信手段により応答信号をリモコン送信部１７から送信し（ステップＮ２）、次いでメニュー画面データをフラッシュＲＯＭ６から読み出してリモコン送信部１７から送信する（ステップＮ３）。
【００２５】
これに応答して、リモコン２０は、受信部２２により前記応答信号を受信し（ステップＳ３）、次いでメニュー画面データ（入力指定画面データ）を受信すると（ステップＳ４）、制御部２５のリモコン側表示手段は、そのメニュー画面データに基づいてメニュー画面をリモコン側表示部２３に表示させる（ステップＳ５）。ここで、ユーザは、リモコン２０を操作して、メニュー画面を見て、項目「録画予約」を選択して決定すると、制御部２５のリモコン側送信手段は、録画予約が選択・決定されたことを検知し（ステップＳ６）、録画予約が選択・決定されたことを示す操作コードを送信する（ステップＳ７）。なお、リモコン２０が前記応答信号を受信したときに、例えば、送信完了と言うメッセージをリモコン側表示部２３に表示させれば、ユーザは、複合型記録再生装置１にリモコン２０からの情報が届いたことを確認できる。
【００２６】
次に、複合型記録再生装置１のシステムコントローラ１０は、その操作コードをリモコン受信部９により受信すると（ステップＮ４）、装置側送信手段により応答信号をリモコン送信部１７から送信し（ステップＮ５）、次いで録画予約画面データをフラッシュＲＯＭ６から読み出してリモコン送信部１７から送信する（ステップＮ６）。
【００２７】
これに応答して、リモコン２０は、受信部２２により前記応答信号を受信し（ステップＳ８）、次いで録画予約画面データ（入力指定画面データ）を受信部２２により受信すると（ステップＳ９）、制御部２５のリモコン側表示手段は、その録画予約画面データに基づいて例えば録画予約画面４０をリモコン側表示部２３に表示させる（ステップＳ１０）。ここで、ユーザは、リモコン２０を操作して、録画予約画面４０を見て、予約情報として、録画の日付、録画開始時刻、録画終了時刻、チャンネル、録画モード、およびデバイスを入力して決定すると、制御部２５のリモコン側送信手段は、予約情報（設定情報）が入力・決定されたことを検知し（ステップＳ１１）、予約情報を送信部２１より送信する（ステップＳ１２）。
【００２８】
これに応答して、複合型記録再生装置１のシステムコントローラ１０は、その予約情報をリモコン受信部９により受信すると（ステップＮ７）、システムコントローラ１０の第１の装置側登録手段は、その予約情報をフラッシュＲＯＭ６に登録する（ステップＮ８）。この後、システムコントローラ１０は、予約情報をフラッシュＲＯＭ６に登録したことを示す応答信号をリモコン送信部１７から送信する（ステップＮ９）。
【００２９】
これに応答して、リモコン２０は、受信部２２により前記応答信号を受信し（ステップＳ１３）、録画予約完了メッセージをリモコン側表示部２３に表示させる（ステップＳ１４）。以上の処理により、リモコン２０を操作して所望の番組が複合型記録再生装置１に録画予約される。
【００３０】
図７は本実施形態において複合記録再生装置の操作部を操作して番組を録画予約する場合の複合型記録再生装置の処理を説明するためのフローチャートである。このフローチャートおよび図１〜図４を参照して複合型記録再生装置の操作部を操作して所望の番組を録画予約する場合の処理について説明する。
【００３１】
ユーザによって操作部１８のメニューキー（図示せず）が押下されると、システムコントローラ１０の装置側表示手段は、メニューキーが押下されたことを検知し（ステップＭ１）、メニュー画面データをフラッシュＲＯＭ６から読み出して、そのメニュー画面データに基づいてメニュー画面をリモコン側表示部１１に表示させる（ステップＭ２）。ここで、ユーザは、操作部１８を操作して、メニュー画面を見て、項目「録画予約」を選択して決定すると、システムコントローラ１０は、録画予約が選択・決定されたことを検知し（ステップＭ３）、録画予約画面データをフラッシュＲＯＭ６から読み出して、その録画予約画面データに基づいて例えば録画予約画面４０を装置側表示部１１に表示させる（ステップＭ４）。
【００３２】
ここで、ユーザは、操作部１８を操作して、録画予約画面４０を見て、予約情報として、録画の日付、録画開始時刻、録画終了時刻、チャンネル、録画モード、およびデバイスを入力して決定すると、システムコントローラ１０の第２の装置側登録手段は、予約情報（設定情報）が入力・決定されたことを検知し（ステップＭ５）、その予約情報をフラッシュＲＯＭ６に登録する（ステップＭ６）。以上の処理により、操作部１８を操作して所望の番組が複合型記録再生装置１に録画予約される。
【００３３】
なお、以上説明した実施形態では、リモコン側表示部２３または／および装置側表示部１１に録画予約に関する情報を表示させた場合について説明したが、これに限らず、リモコン側表示部２３または／および装置側表示部１１にセットアップに関する情報などの文字情報を表示させても良い。
【００３４】
以上説明したように本実施形態によれば、リモコン側表示部２３や装置側表示部１１に番組の録画予約などの情報を表示させることができるので、接続しているテレビジョン受像機１３に番組の録画予約などの情報を表示させずに、リモコン側表示部２３や装置側表示部１１で情報の確認を行って、録画予約などの設定を行うことができる。したがって、テレビジョン受像機１３で番組の視聴を楽しんでいる人は、現在視聴中の番組を消す必要がなくなり、その番組の視聴が邪魔されると言うことがなくなる。また、録画予約などを行うような場合、テレビジョン受像機１３が電源オフされていて、番組の視聴が行われていないとき、わざわざテレビジョン受像機１３の電源をオンする必要がないので、ユーザにとって無駄な操作を減らすことができると共に、電力消費も抑えることができる。また、リモコン２０で操作を行えば、リモコン側表示部２３に情報を表示させることができ、本装置の操作部１８で操作を行えば、装置側表示部１１に情報を表示させることができるので、リモコン２０が有れば、リモコン２０で録画予約などの情報を入力でき、リモコン２０が無ければ、本装置の操作部１８で録画予約などの情報を入力でき、ユーザにとっては使い勝手が良くなる。
【産業上の利用可能性】
【００３５】
本発明は、ハードディスク装置や光ディスク装置あるいはＶＣＲなどの情報記録再生装置に利用可能である。
【図面の簡単な説明】
【００３６】
【図１】本発明の一実施形態に係る情報記録再生装置としての複合型記録再生装置の構成を示すブロック図である。
【図２】前記実施形態においてリモコンのキー配置の一例を示す図である。
【図３】前記実施形態における複合型記録再生装置とテレビジョン受像機とが接続されている状態を示す簡略化した斜視図を示す。
【図４】前記実施形態において録画予約画面の一例を示す図である。
【図５】前記実施形態においてリモコンを操作して番組を録画予約する場合のリモコンの処理を説明するためのフローチャートである。
【図６】前記実施形態においてリモコンを操作して番組を録画予約する場合の複合型記録再生装置の処理を説明するためのフローチャートである。
【図７】前記実施形態において複合記録再生装置の操作部を操作して番組を録画予約する場合の複合型記録再生装置の処理を説明するためのフローチャートである。
【符号の説明】
【００３７】
１    複合型記録再生装置（情報記録再生装置）
６    フラッシュＲＯＭ（メモリ）
１０    システムコントローラ（装置側送信手段、第１の装置側登録手段、装置側表示手段、第２の装置側登録手段）
１１    装置側表示部
１８    操作部
２０    リモコン
２１    待機電源部
２３    リモコン側表示部
２５    制御部（リモコン側表示手段、リモコン側送信手段）
４０    録画予約画面（入力指示画面）
【図１】
2009124280.tif 000003
【図２】
2009124280.tif 000004
【図３】
2009124280.tif 000005
【図４】
2009124280.tif 000006
【図５】
2009124280.tif 000007
【図６】
2009124280.tif 000008
【図７】
2009124280.tif 000009